(57)【要約】【課題】本発明は、端子ピンを長孔内に移動自在に設け、ステータ巻線を巻付けた後に内側に移動させてたるみを形成させることを目的とする。【解決手段】本発明による回転検出器用ステータ構造及び回転検出器用ステータの巻線巻付方法は、端子ピン保持部（５）に形成され端子ピン（６）を移動自在に挿入すると共に、端子ピン保持部（５）の突出方向に沿って長手形状となる長孔（２１）を有して、端線（４ａ）にたるみ（４ａＡ）を形成させる構成と方法である。【選択図】　　　　図１
2004056903.tif 000002
【特許請求の範囲】
【請求項１】
全体形状が輪状をなし内方へ向けて突出する複数の磁極（２）を有するステータ体（１）と、前記各磁極（２）に第１、第２輪状絶縁カバー（３、４）を介して設けられたステータ巻線（４）と、前記第２輪状絶縁カバー（４）の一部に形成され端子ピン（６）を有する端子ピン保持部（５）とを備え、前記磁極（２）に巻回されたステータ巻線（４）を前記端子ピン（６）に接続するようにした回転検出器用ステータ構造において、
前記端子ピン保持部（５）に形成され前記端子ピン（６）を移動自在に挿入すると共に前記端子ピン保持部（５）の突出方向に沿って長手形状となる長孔（２１）を有することを特徴とする回転検出器用ステータ構造。
【請求項２】
前記長孔（２１）の内端側には、くびれ部（２２）が形成され、前記端子ピン（６）は前記くびれ部（２２）を経て移動できるように構成されていることを特徴とする請求項１記載の回転検出器用ステータ構造。
【請求項３】
全体形状が輪状をなし内方へ向けて突出する複数の磁極（２）を有するステータ体（１）と、前記各磁極（２）に第１、第２輪状絶縁カバー（３、４）を介して設けられたステータ巻線（４）と、前記第２輪状絶縁カバー（４）の一部に形成され端子ピン（６）を有する端子ピン保持部（５）とを備え、前記磁極（２）に巻回されたステータ巻線（４）を前記端子ピン（６）に接続するようにした回転検出器用ステータの巻線巻付方法において、
前記端子ピン保持部（５）に形成された長孔（２１）内の外端側に位置させた前記端子ピン（６）にステータ巻線（４）を巻付けた後に、前記端子ピン（６）を前記長孔（２１）内の内端側（２１ａ）に移動させることにより、前記ステータ巻線（４）にたるみ（４ａＡ）を形成させることを特徴とする回転検出器用ステータの巻線巻付方法。
【請求項４】
前記移動は、前記長孔（２１）の内端側（２１ａ）に設けたくびれ部（２２）を経て行われることを特徴とする請求項３記載の回転検出器用ステータの巻線巻付方法。
【発明の詳細な説明】
【０００１】
【発明の属する技術分野】
本発明は、回転検出器用ステータ構造及び回転検出器用ステータの巻線巻付方法に関し、特に、端子ピンを挿入する孔を長孔とし、ステータ巻線を巻付けた後に端子ピンを外端側から内端側へ移動させてステータ巻線にたるみを形成するための新規な改良に関する。
【０００２】
【従来の技術】
従来、用いられていたこの種のステータの巻線巻付時にたるみを形成させる方法としては、例えば、本出願人が出願した米国特許第６０４４５４５号公報（特許日、２０００年４月４日）の図３の構成を図５として挙げることができる。
すなわち、図５において符号１で示されるものは輪状をなすステータ体であり、このステータ体１の内面には内方へ向けて突出する複数の磁極２が形成されている。
【０００３】
前記ステータ体１の一面上には、この各磁極２を覆う形状で輪状をなす輪状絶縁カバー３が設けられ、この輪状絶縁カバー３の一部は半径方向に突出して端子ピン６を有する端子ピン保持部５が形成されている。
【０００４】
前記各磁極２に輪状絶縁カバー３を介して巻回されたステータ巻線４の端線４ａは、この端子ピン６と磁極２との間に介挿された棒部材１０の外周面を経て各端子ピン６に巻付けられることにより、たるみ４ａＡが形成され、この巻付け後に棒部材１０を除去していた。
尚、このたるみ４ａＡを形成させる目的は、外部から加えられた衝撃等によりステータ巻線が断線することを防止するものである。
【０００５】
【発明が解決しようとする課題】
本発明は、以上のように構成されていたため、次のような課題が存在していた。
すなわち、ステータ巻線にたるみを形成させるために棒部材を挿脱させなければならず、自動巻線を行う際にはこの棒部材の挿脱を行うための機構等が必要となり、自動巻線時の障害となっていた。
【０００６】
本発明は、以上のような課題を解決するためになされたもので、特に、端子ピンを挿入する孔を長孔とし、ステータ巻線を巻付けた後に端子ピンを外端側から内端側へ移動させてステータ巻線にたるみを形成するようにした回転検出器用ステータ構造及び回転検出器用ステータの巻線巻付方法を提供することを目的とする。
【０００７】
【課題を解決するための手段】
本発明による回転検出器用ステータ構造は、全体形状が輪状をなし内方へ向けて突出する複数の磁極を有するステータ体と、前記各磁極に第１、第２輪状絶縁カバーを介して設けられたステータ巻線と、前記第２輪状絶縁カバーの一部に形成され端子ピンを有する端子ピン保持部とを備え、前記磁極に巻回されたステータ巻線を前記端子ピンに接続するようにした回転検出器用ステータ構造において、前記端子ピン保持部に形成され前記端子ピンを移動自在に挿入すると共に前記端子ピン保持部の突出方向に沿って長手形状となる長孔を有する構成であり、また、前記長孔の内端側には、くびれ部が形成され、前記端子ピンは前記くびれ部を経て移動できるようにした構成であり、また、本発明による回転検出器用ステータの巻線巻付方法は、全体形状が輪状をなし内方へ向けて突出する複数の磁極を有するステータ体と、前記各磁極に第１、第２輪状絶縁カバーを介して設けられたステータ巻線と、前記第２輪状絶縁カバーの一部に形成され端子ピンを有する端子ピン保持部とを備え、前記磁極に巻回されたステータ巻線を前記端子ピンに接続するようにした回転検出器用ステータの巻線巻付方法において、前記端子ピン保持部に形成された長孔内の外端側に位置させた前記端子ピンにステータ巻線を巻付けた後に、前記端子ピンを前記長孔内の内端側に移動させることにより、前記ステータ巻線にたるみを形成させる方法であり、また、前記移動は、前記長孔の内端側に設けたくびれ部を経て行われる方法である。
【０００８】
【発明の実施の形態】
以下、図面と共に本発明による回転検出器用ステータ構造及び回転検出器用ステータの巻線巻付方法の好適な実施の形態について説明する。尚、従来例と同一又は同等部分については、同一符号を用いて説明する。
図１において、符号１で示されるものは、全体形状が輪状をなすステータ体であり、このステータ体１の内面には内方に突出して形成された複数の磁極２が設けられている。
【０００９】
前記ステータ体１の両面には、前記各磁極２を覆う状態で輪状に形成された第１、第２輪状絶縁カバー３、４が設けられ、各輪状絶縁カバー３、４を介してステータ巻線４が各磁極２に巻回して設けられている。
前記各磁極２に巻回されたステータ巻線４は、各磁極２を覆うようにステータ体１の両面に設けられた第１、第２輪状巻線カバー１０、１１（完全な輪状でなく、馬跨型の場合も輪状に含めるものとする）が設けられている。尚、前記各輪状絶縁カバー３、４は、予め成形されたものを用いる場合と、ステータ体１に対して射出成形により一体成形して用いる場合がある。
【００１０】
前記第２輪状絶縁カバー４（第１輪状絶縁カバー３でも可）の一部には、複数の端子ピン６を有する端子ピン保持部５が半径方向に沿って突出して一体に形成されている。
前記端子ピン保持部５には、その突出方向に沿って長手形状となる長孔２１が形成され、この長孔２１は図３に示されるように貫通状に形成されているが、貫通していない深溝状の場合も可である。
【００１１】
前記長孔２１は、図では２個形成されている場合を示しているが、必要とする端子ピン６の数に応じて任意に形成することができる。
前記長孔２１は、その内端側２１ａから外端側２１ｂへ向けて長孔状となり、端子ピン６は外端側２１ｂから内端側２１ａに沿って移動（そのまま長孔２１内を揺動又は抜いて移動することも可）することができるように構成されている。
【００１２】
前記長孔２１の内端側２１ａには、その孔幅が部分的に狭くなっているくびれ部２２が形成され、このくびれ部２２の内側には端子ピン６を保持するための丸孔２３が形成されている。
【００１３】
次に、前述の構成において、各磁極２に対するステータ巻線４の巻線が完了し、このステータ巻線４の端線４ａを各端子ピン６に巻付け（通称からげると云う）る場合、前記各端子ピン６を図１及び図２の（Ａ）で示された状態に配設し、この状態でステータ巻線４の端線４ａを端子ピン６に巻付ける。
【００１４】
この端線４ａの巻付けが完了した状態で、各端子ピン６をくびれ部２２を経て（実際には押しのけて、又は、端子ピン６を抜いて再び挿入する等）、長孔２１の外端側２１ｂから内端側２１ａにおいて移動し、各端子ピン６はくびれ部２２の内側の保持孔２３内に保持固定される。
【００１５】
前記各端子ピン６が保持孔２３に移動することによって、図２の（Ｂ）に示されるように、ステータ巻線４の端線４ａにはたるみ４ａＡが形成され、振動等に対する断線を防止することができる。
【００１６】
【発明の効果】
本発明による回転検出器用ステータ構造及び回転検出器用ステータの巻線巻付方法は、以上のように構成されているため、次のような効果を得ることができる。
すなわち、端子ピンを保持する孔が長孔で形成されているため、ステータ巻線の巻付け後に、端子ピンを内側へ移動させることにより、ステータ巻線にたるみが形成され、極めて簡単にたるみを得ることができる。
【図面の簡単な説明】
【図１】本発明による回転検出器用ステータを示す平面図である。
【図２】図１の端子ピンの移動状態を示す説明図である。
【図３】図１の断面図である。
【図４】従来構造を示す斜視図である。
【符号の説明】
１　　ステータ体
２　　磁極
３、４　　第１、第２輪状絶縁カバー
４ａ　　端線
４ａＡ　　たるみ
５　　端子ピン保持部
６　　端子ピン
２１　　長孔
２１ａ　　内端側
２１ｂ　　外端側
２２　　くびれ部
２３　　保持孔
【図１】
2004056903.tif 000003
【図２】
2004056903.tif 000004
【図３】
2004056903.tif 000005
【図４】
2004056903.tif 000006